(57)【要約】【課題】ＲＯＭにコンテンツを格納した媒体を再生するコンテンツ再生装置に関し、最新の広告情報を付加し、且つ再生時に容易に広告を視聴する。【解決手段】コンテンツ情報を物理的に安定なＲＯＭ情報に、広告情報をＲＡＭ記録した記録媒体（３）を用いて、ＲＯＭ部がＥＦＭ変調されたコンテンツを格納し、前記ＲＡＭ部の情報が、周波数変調記録される。そして、１つの光ピックアップで、ＲＯＭ，ＲＡＭ情報の分離を容易とする。ＲＯＭ−ＲＡＭ同時再生可能な媒体（３）と、この媒体のドライブ（４）を使用して、コンテンツの再生により、広告も自動再生される。このため、ユーザーは、広告を意識することなく、広告の視聴が可能となる。【選択図】図８
2008071482.tif 000002
【特許請求の範囲】
【請求項１】
光学的に透明な基板に凹凸等の物理的変化によりコンテンツを記録したＲＯＭ部と、前記ＲＯＭ部上に書き換え可能な記録層で形成したＲＡＭ部とからなる記録媒体を、１つのピックアップで、前記ＲＯＭ部と前記ＲＡＭ部とを同時再生する再生装置において、
コンテンツがＥＦＭ変調されてＲＯＭ部に記録され、広告情報が、周波数変調されて、ＲＡＭ部に記録された記録媒体を、同時に読み出す前記１つのピックアップと、
前記１つのピックアップからのＥＦＭ変調されたコンテンツと、前記周波数変調された広告情報を復調し、前記記録媒体のＲＯＭ部のコンテンツとＲＡＭ部の広告情報を同時再生する再生手段とを有する
ことを特徴とするコンテンツ再生装置。
【請求項２】
前記再生装置は、ＲＡＭ部が光磁気記録媒体で構成された前記光磁気記録媒体のＲＯＭ部とＲＡＭ部とを光で再生する光磁気媒体ドライブで構成された
ことを特徴とする請求項１のコンテンツ再生装置。
【請求項３】
前記記録媒体は、前記ＲＯＭ部のコンテンツである時間の経過に従って出力されるストリーミング情報に同期して、前記広告情報が再生されるように、前記広告情報が書き込まれた
ことを特徴とする請求項１のコンテンツ再生装置。
【請求項４】
前記再生機構は、
前記ＲＯＭ情報をｎ倍速（ｎは１より大きな数）出力し、前記ｎ倍速出力時に、前記ＲＡＭ情報を1倍速で出力する
ことを特徴とする請求項１のコンテンツ再生装置。
【発明の詳細な説明】
【技術分野】
【０００１】
本発明は、音楽、映像、ゲーム等のコンテンツを、広告情報を付して配信するのに好適なコンテンツ再生装置に関し、特に、記憶媒体を使用して、広告収入を利用したコンテンツの配信を行うのに好適なコンテンツ再生装置に関する。
【背景技術】
【０００２】
ビデオテープ、ＣＤ（コンパクトデイスク）、ＣＤ−ＲＯＭ、ＤＶＤ等を用いた音楽、映像、ゲーム等のコンテンツ配信が行われている。近年、音楽ＣＤ等において、カジュアルハッキングと呼ばれるＣＤ−Ｒへの不正コピーやインターネットを通じたソフトの交換等が問題となっており、ＣＤの販売枚数が落ち込んできている。一方で、携帯電話の普及により、１０〜２０代の若者の小遣い、娯楽費用の大半が携帯電話料金に回り、コンテンツソフトの販売数が低下していると言われている。
【０００３】
このような厳しいコンテンツビジネスの環境を改善するために、広告収入を用いる方法が検討されている。広告収入を利用したコンテンツ配信は、インターネットを介した配信において、有効である。しかしながら、パソコンの家庭普及率は増大したが、実際にインターネットを用いたコンテンツ配信は、セキュリティの問題、通信速度の問題或いは、無形データのダウンロードに対してお金を支払う文化が庶民の生活に普及していないことなどが理由で、普及するのに限界がある。
【０００４】
そこで、メモリ媒体等を利用した広告付きのコンテンツ配信の方法が、種々提案されている。通常、ＣＤやＣＤ−ＲＯＭ，ＤＶＤ等に記録されている広告情報、例えば新曲紹介、新作映画の紹介等は、記録媒体が物理的に書き換え不可能であるため、何年経っても古い映画の紹介等が広告として掲載される。一般に広告には有効期限があり、古い広告情報は、広告としての役割を果たさない。
【０００５】
このため、記録媒体に、ＲＡＭ（Ｒａｎｄｏｍ  Ａｃｃｅｓｓ  Ｍｅｍｏｒｙ）領域を設け、頒布時に、ＲＡＭ領域に、広告ＩＤを書き込み、ユーザーに頒布する方法が提案されている。
【０００６】
従来、記録媒体に、コンテンツとは別に、広告情報のポインタを書き込み、記録媒体をユーザーに頒布し、ユーザーが、このポインタを読出し、広告情報提供先から、インターネットやデジタル放送を介し、広告情報を得て、ユーザー端末で表示するシステムが開示されている（例えば、特許文献１−４）。
【０００７】
また、コンテンツを含む電子ペーパーを、広告情報を付して、頒布し、ユーザーの操作で、広告情報を表示するシステムを開示されている（例えば、特許文献５）。
【特許文献１】特開平１０−１０５４５２号公報
【特許文献２】特開２００１−１０１８３６号公報
【特許文献３】特開２００１−１３５０２３号公報
【特許文献４】特開２００２−３２６８５号公報
【特許文献５】特開２００２−２４５７０号公報
【発明の開示】
【発明が解決しようとする課題】
【０００８】
しかしながら、これらの従来の提案では、ユーザーに、広告を見せる又は聞かせるため、ユーザーに、コンテンツとは別に、広告情報を選択操作させる必要があり、ユーザーにとって煩わしいことである。このため、広告の効果が低減するおそれがある。
【０００９】
又、インターネットやデジタル放送を利用する場合には、この機能を持つ再生装置が必要となり、ユーザーが、広告のため、これら装置を購入することも必要となり、汎用的でないという問題が生じる。
【００１０】
従って、本発明の目的は、ユーザーが広告表示の操作を行うことなく、コンテンツの再生とともに、最新の広告出力を行うためのコンテンツ再生装置を提供することにある。
【００１１】
又、本発明の他の目的は、インターネット等の外部との接続を行わずに、記録媒体で、コンテンツの再生とともに、最新の広告出力を行うためのコンテンツ再生装置を提供することにある。
【００１２】
更に、本発明の他の目的は、記録媒体で、コンテンツの再生とともに、最新の広告出力を行い、広告収入を利用したコンテンツ配信を容易に普及するためのコンテンツ再生装置を提供することにある。
【課題を解決するための手段】
【００１３】
この目的の達成のため、本発明のコンテンツ再生装置は、コンテンツ光学的に透明な基板に凹凸等の物理的変化によりコンテンツを記録したＲＯＭ部と、前記ＲＯＭ部上に書き換え可能な記録層で形成したＲＡＭ部とからなる記録媒体を、１つのピックアップで、前記ＲＯＭ部と前記ＲＡＭ部とを同時再生する再生装置において、コンテンツがＥＦＭ変調されてＲＯＭ部に記録され、広告情報が、周波数変調されて、ＲＡＭ部に記録された記録媒体を、同時に読み出す前記１つのピックアップと、前記１つのピックアップからのＥＦＭ変調されたコンテンツと、前記周波数変調された広告情報を復調し、前記記録媒体のＲＯＭ部のコンテンツとＲＡＭ部の広告情報を同時再生する再生手段とを有する。
【００１４】
又、本発明では、好ましくは、前記再生装置は、ＲＡＭ部が光磁気記録媒体で構成された前記光磁気記録媒体のＲＯＭ部とＲＡＭ部とを光で再生する光磁気媒体ドライブで構成された。
【００１５】
又、本発明では、好ましくは、前記記録媒体は、前記ＲＯＭ部のコンテンツである時間の経過に従って出力されるストリーミング情報に同期して、前記広告情報が再生されるように、前記広告情報が書き込まれた。
【００１６】
又、本発明では、好ましくは、前記再生機構は、前記ＲＯＭ情報をｎ倍速（ｎは１より大きな数）出力し、前記ｎ倍速出力時に、前記ＲＡＭ情報を1倍速で出力する。
【発明の効果】
【００１７】
本発明では、コンテンツ光学的に透明な基板に凹凸等の物理的変化によりコンテンツを記録したＲＯＭ部と、前記ＲＯＭ部上に書き換え可能な記録層で形成したＲＡＭ部とからなる記録媒体に対し、１つのピックアップで、コンテンツがＥＦＭ変調されてＲＯＭ部に記録され、広告情報が、周波数変調されて、ＲＡＭ部に記録された記録媒体を、同時に読み出し、１つのピックアップからのＥＦＭ変調されたコンテンツと、周波数変調された広告情報を復調し、記録媒体のＲＯＭ部のコンテンツとＲＡＭ部の広告情報を同時再生するため、容易に、且つ正確に、コンテンツと広告の同時再生が可能となる。又、ＲＯＭ部がＥＦＭ変調されたコンテンツを格納し、前記ＲＡＭ部の情報が、周波数変調記録されることにより、１つの光ピックアップで、ＲＯＭ，ＲＡＭ情報の分離が容易となる。
【発明を実施するための最良の形態】
【００１８】
以下、本発明の実施の形態を、コンテンツ配信システム、コンテンツ配信媒体、コンテンツ再生装置、他の実施の形態の順で説明する。
【００１９】
［コンテンツ配信システム］
図１は、本発明のコンテンツ配信システムの一実施の形態の構成図であり、図２は、コンテンツ配信手順の流れ図であり、図３は、図１の広告ダウンロードマシンの構成図であり、図４は、広告ダウンロードの動作説明図であり、図５は、コンテンツ配信システムの処理の説明図である。図１は、コンテンツ配信システムの一例として、コンテンツレンタルシステムを示すものである。
【００２０】
図１において、レンタル店舗１には、コンテンツ陳列棚１０と、コンテンツ貸し出しカウンター１２と、広告ダウンロードマシン１４とが設けられている。コンテンツ陳列棚１０には、コンテンツ製作会社の作成したコンテンツを記録したコンテンツ配信媒体３が、多数格納されている。本発明では、コンテンツ配信媒体３として、後述するように、物理的に書き換え不可能なＲＯＭ部と、コンテンツ配信業者あるいは、ユーザーにより書き換え可能なＲＡＭ部を含み、ＲＯＭ部とＲＡＭ部を同時読出しできる媒体を使用することが特徴の一つである。
【００２１】
コンテンツ貸し出しカウンター１２は、ユーザーが、コンテンツ陳列棚１０から選んだコンテンツ配信媒体３の貸し出し処理を行う。広告ダウンロードマシン１４は、ユーザーの選択により、貸し出し処理されたコンテンツ配信媒体３のＲＡＭ部に、広告を記録し、ユーザーへ返却する。
【００２２】
コンテンツ配信サーバー２は、広告ダウンロードマシン１４とコンテンツ貸し出しカウンター１２に接続され、広告ダウンロードマシン１４に種々の広告データを送信する。
【００２３】
図２に従い、図１のコンテンツ配信手順を説明する。
【００２４】
（Ｓ１０）レンタル店舗１に来たユーザーは、コンテンツ陳列棚１０から所望のコンテンツがＲＯＭ記録されたコンテンツ配信媒体３を選択する。
【００２５】
（Ｓ１２）ユーザーは、貸し出しカウンター１２で貸し出し手続きを行う。即ち、レンタル期間を決定し、それに対するレンタル料金を支払う。
【００２６】
（Ｓ１４）ユーザーは、手続き終了後、広告によるキャッシュバックを希望する場合には、図３にて後述する広告ダウンロードマシン１４で、手続きされたコンテンツ配信媒体３のＲＡＭ部に、広告情報を記録させ、広告料によるキャッシュバックを受ける。図４に示すように、コンテンツ配信業者は、広告依頼主より広告情報を入手し、コンテンツ配信サーバー２から広告ダウンロードマシン１４に送信する。広告ダウンロードマシン１４は、コンテンツ配信媒体３のＲＡＭ情報に書き込み、ユーザーに販売、貸し出しを行う。広告収入は、ユーザーのコンテンツ購入費用或いは、レンタル費用を補うものとして、ユーザーにキャッシュバックされる。
【００２７】
（Ｓ１６）ユーザーは、貸し出されたコンテンツ配信媒体３を持って、自宅等に帰り、コンテンツ配信媒体３を、ドライブ等で視聴する。この時、コンテンツ配信媒体３のＲＯＭ部のコンテンツが読み出されるとともに、ＲＡＭ部の広告情報も読み出される。即ち、ユーザーは、コンテンツの視聴を指示すると、コンテンツとともに広告情報も読み出され、自動的に広告の視聴が行われ、この点も本発明の特徴の一つである。
【００２８】
又、このＲＡＭ部には、図４に示すように、ユーザーからの広告内容に関するアンケート情報の記録にも利用できる。更に、ＲＡＭ部には、ユーザーのＲＯＭ情報再生回数、ＲＡＭ情報再生回数等が記録でき、この回数に応じても、キャッシュバック料が設定できる。また、ユーザーはＲＡＭ部の広告情報より、直接広告主に連絡をとり、キャッシュバックを受けることも可能である。
【００２９】
（Ｓ１８）ユーザーは、レンタル店舗１でコンテンツ配信媒体３を返却する。
【００３０】
このような構成のシステムに依れば、レンタルカウンターにおいては、通常のＣＤ音楽ソフトの貸し出しと全く同じシステムで貸し出しが行える。また、広告のダウンロードにおいては、ユーザーが希望により広告ダウンロードマシンに向かい、ダウンロードマシンの表示に従って、好みの広告をダウンロードできる。
【００３１】
例えば、バーゲンフェアや期間限定のキャンペーン、地域の求人情報等を検索し必要に応じてダウンロードすることができる。広告情報のダウンロードに関しては、ユーザーの自主性に任されるため、レンタル店舗の店員は、通常の勤務では機械のトラブル対応のための連絡程度で済ませることができる。場合によっては、広告ダウンロードマシンは、広告管理会社の管理のもと、レンタル店舗に対しては、場所の使用料のみ支払えば良い構成にできる。
【００３２】
ユーザーがコンテンツを返却する際には、ダウンロードマシンにてアンケート情報記入も可能となる。このような構成にすることで、ユーザーがコンテンツに記録するための端末を各家庭で所有する必要がなくなる。
【００３３】
図３により、広告ダウンロードマシン１４の構成を説明する。広告ダウンロードマシン１４は、ユーザーが操作する端末で構成され、媒体ドライブ２０、ＣＰＵ２１、メモリ２２、カードリーダ／ライタ２３、操作パネル２４、インターフェイス２５等で構成される。
【００３４】
媒体ドライブ２０は、前述のＲＯＭ−ＲＡＭ媒体３のリード／ライトを行うものであり、後述するように、ＲＯＭ−ＲＡＭ媒体３に、光磁気デイスク（ＭＯ）を使用するため、ＭＯドライブで構成される。キャッシュバックを、レンタル店舗のポイントカードで行うため、ポイントカードのリード／ライトを行うカードリーダ／ライタ２３が設けられる。操作パネル２４は、ユーザーが、前述の広告情報を選択する、返却を指示し、アンケート情報を読み取らせる等のために設けられる。
【００３５】
メモリ２２は、例えば、ハードデイスクドライブで構成され、広告情報、その広告情報のキャッシュバック料、広告期間等を多数格納する。インターフェイス回路２５は、コンテンツ配信サーバ２とのインターフェイス制御を行い、広告情報、広告料金の受信、アンケート情報の送信等を行う。ＣＰＵ２１は、広告ダウンロードマシンの各種の制御を行う。
【００３６】
次に、コンテンツ配信サーバ２の処理を、図５で説明する。コンテンツ配信サーバ２の処理は、大きく分けて、コンテンツ配信費用管理処理、広告情報管理処理、貸し出し処理、返却処理の４つからなる。広告情報管理処理は、広告依頼主からの広告情報入手処理、広告期間確認処理、広告エリア確認処理、キャッシュバック量確認処理、広告情報書き込み、削除処理からなる。
【００３７】
貸し出し処理は、コンテンツ貸し出しカウンター１２でのユーザー確認処理、貸し出し期間確認処理、貸し出し料徴収処理からなる。返却処理は、ユーザー核に処理、アンケート情報確認処理、ＲＯＭ再生回数確認処理、ＲＡＭ再生回数確認処理、キャッシュバック処理からなる。
【００３８】
コンテンツ配信費用管理処理は、これら３つの処理の結果から、コンテンツ使用料処理、広告料集計処理、貸し出し料集計処理、諸費用集計処理からなる。
【００３９】
このように、コンテンツ配信業者は、ユーザーに対する貸し出し、返却業務のほかに、広告情報管理、貸し出し料のキャッシュバック料管理を行う。更に、本発明の配信システムは、広告情報を期間および配信するユーザーの生活エリアに応じて、書き込み、更新、削除を行うため、タイムリーで、ユーザーのニーズにあった広告情報を提供できる。
【００４０】
［コンテンツ配信媒体］
図６は、本発明の一実施の形態におけるコンテンツ配信媒体の説明図、図７は、そのＲＯＭ信号及びＲＡＭ信号の関係図である。
【００４１】
図６以下の説明では、コンテンツ配信媒体として、ＲＯＭ−ＲＡＭ光磁気デイスク（ＭＯ）を例に説明する。図６に示すように、ＩＳＯ規格の光磁気デイスク３は、円盤形状をなしており、最内周に、リードイン領域が、最外周に、リードアウト領域が、その間に、ユーザーエリアが設けられている。
【００４２】
リードイン領域及びリードアウト領域は、ポリカーボネイト基板にデイスクの凹凸により形成された位相ピットで構成されるＲＯＭ情報であり、デイスクの仕様等の情報が記録される。これを読むことにより記録再生の条件を制御している。このＲＯＭ情報となる位相ピットの光学的深さ（ピット深さ）は、再生時の光強度変調が最大になるように設定されている。一般には７０％以上の変調度（平坦部光強度に対する位相ピット部の光強度の変化の割合）に設定されている。
【００４３】
リードイン領域とリードアウト領域の間に光磁気記録膜がスパッタ装置により成膜されているユーザーエリアが設けられている。このユーザーエリアには、ユーザーが自由に情報を記録／再生できる。
【００４４】
このユーザーエリアを、ＲＯＭとＲＡＭとの機能を持たせるための光磁気デイスク４の構造は、図６に示すように、透明（ポリカーボネイト）基板４Ａ上に、窒化珪素、酸化タンタル等を材料とした第１誘電体層４Ｂ、ＴｂＦｅＣｏのような希土類と遷移金属のアモルファス合金からなる光磁気記録層４Ｃ、第１誘電体層４Ｂと同じ材料からなる第２誘電体層４Ｄ、ＡｌＴｉ、Ａｕ等の金属からなる反射層４Ｅおよび紫外線硬化型樹脂を用いた保護コート層４Ｆの構成が一般的である。
【００４５】
図６及び図７に示すように、ＲＯＭ機能は、デイスク３に凸凹に形成した位相ピットＰＰで付与し、ＲＡＭ機能は、光磁気記録層４Ｃで付与する。光磁気記録層４Ｃへの記録は、光磁気記録層４Ｃにレーザ光を加熱し、磁化反転を助け、信号磁界に対応して磁化の方向を反転させて、光磁気信号ＯＭＭの記録を行う。これにより、ＲＡＭ情報の記録が可能である。本発明のデイスクでは、ＲＯＭ情報とＲＡＭ情報の信号品質のバランスをとるため、前記ピットの変調度は、２５％以下とすることが望ましい。
【００４６】
光磁気記録層４Ｃの記録情報の読出しは、記録層４Ｃに弱いレーザ光を当てることにより、レーザ光の偏光面が、記録層４Ｃの磁化の向きに応じて極カー効果により変わり、この時の反射光の偏光成分の強弱により、信号の有無を判断する。これにより、ＲＡＭ情報の読出が可能である。この読出しにおいて、反射光は、ＲＯＭを構成する位相ピットＰＰにより変調されるため、ＲＯＭ情報の読出しも同時にできる。
【００４７】
かかる構造の光情報記録媒体において、図７に示すように、ＲＯＭ情報は、平坦な基板上に形成された凸凹による位相ピットＰＰにより固定記録され、ＲＡＭ情報は、位相ピットＰＰ列上に光磁気記録層にＭＯ信号ＯＭＭとして記録される。
【００４８】
即ち、１つの光ピックアップにより、ＲＯＭとＲＡＭの同時再生が可能であり、且つ磁界変調方式の光磁気記録を採用すれば、ＲＡＭへの書込みと、ＲＯＭの再生が同時に可能である。本発明では、この媒体のＲＯＭ部（位相ピット）に、コンテンツを記録し、ＲＡＭ部（光磁気記録層）４Ｃに、広告情報を記録する。
【００４９】
［コンテンツ再生装置］
次に、本発明にかかわるコンテンツ再生装置４である光デイスクドライブを説明する。図８は、本発明の一実施の形態の光デイスクドライブの全体ブロック図、図９は、その詳細ブロック図、図１０は、光デイスクドライブの各モードの説明図である。
【００５０】
図８に示すように、モーター１８は、光情報記録媒体（ＭＯデイスク）３を回転する。通常、ＭＯデイスク３は、リムーバブルな媒体であり、図示しないドライブの挿入口から挿入される。光ピックアップ５は、この光情報記録媒体３を挟むように配置された磁気ヘッド３５と光学ヘッド７とを有する。
【００５１】
光ピックアップ５は、ボールネジ送り機構等のトラックアクチュエータ６により移動し、光情報記録媒体３の半径方向の任意の位置へアクセスが可能である。又、光学ヘッド７のレーザーダイオードＬＤを駆動するＬＤドライバ３１と、光ピックアップ５の磁気ヘッド３５を駆動する磁気ヘッドドライバ３４とが設けられる。アクセス用サーボコントローラ１５−２は、光学ヘッド７からの出力により、トラックアクチュエータ６と、モーター１８と、光学ヘッド７のフォーカスアクチュエータ１９をサーボ制御する。コントローラ１５−１は、ＬＤドライバ３１、磁気ヘッドドライバ３４、アクセス用サーボコントローラ１５−２を稼動させて、情報の記録再生を行う。
【００５２】
光学ヘッド７の詳細を、図９で説明する。レーザーダイオードＬＤからの拡散光は、コリメータレンズ４０で平行光となり、偏光ビームスプリッター４１を介して、対物レンズ４６により光情報記録媒体３上にほぼ回折限界まで集光される。
【００５３】
この偏光ビームスプリッター４１に入射する光の一部は、ビームスプリッター１１により反射され、集光レンズ４２を介してＡＰＣ（Auto  Power  Control)デイテクタ４３に集光される。
【００５４】
又、光情報記録媒体３より反射された光は、再び対物レンズ４６を介し、ビームスプリッター４１に再度入射する。ビームスプリッター４１に再度入射した光の一部は、レーザーダイオードＬＤ側へ戻り、残りの光は、ビームスプリッター４１により反射され、偏光ビームスプリッター５６に入射する。偏光ビームスプリッタ５６に入射された光の一部は、２ビームウオラストンプリズム４４、集光レンズ４５を介し２分割デイテクタ４７に集光される。又、偏光ビームスプリッタ５６に入射された光の他の部分は、集光レンズ５１、円筒面レンズ５２を介して、サーボ検出用４分割デイテクタ５３上に集光される。
【００５５】
ＦＥＳ（Focus  Error  Signal）再生回路５４は、光電変換された４分割フォトディテクタ５３の出力Ａ，Ｂ，Ｃ，Ｄにより、非点収差法によるフォーカスエラー検出（ＦＥＳ）を行う。即ち、
ＦＥＳ＝（Ａ＋Ｂ）−（Ｃ＋Ｄ）／（Ａ＋Ｂ＋Ｃ＋Ｄ）
同時に，プッシュプル法によるＴＥＳ生成回路５５で，４分割デイテクタ５３の出力から、トラックエラー検出（ＴＥＳ）を行う。
【００５６】
これらの計算により求められたフォーカスエラー信号（ＦＥＳ）及びトラックエラー信号（ＴＥＳ）は、フォーカス方向及びトラック方向の位置誤差信号として、メインコントローラ１５（図８では、アクセス用サーボコントローラ１５−２）に入力される。尚、図９では、アクセス用サーボコントローラ１５−２とコントローラ１５−１を一体のメインコントローラ１５で示してある。
【００５７】
一方、記録情報検出系において、光情報記録媒体３上の光磁気記録の磁化の向きによって変わる反射レーザ光の偏光特性が、光強度に変換される。すなわち、２ビームウォラストン２６において、偏光検波により偏光方向が互いに直交する二つのビームに分離し、集光レンズ４５を通して２分割フォトディテクタ４７に入射し、それぞれ光電変換される。
【００５８】
２分割フォトディテクタ４７で光電変換された２つの電気信号Ｇ，Ｈは、アンプ５７、５８で増幅された後、加算アンプ５９で加算され、第１のＲＯＭ信号（ＲＯＭ１＝Ｇ＋Ｈ）となり、同時に、減算アンプ６０で減算され、ＲＡＭ読みだし（ＭＯ）信号（ＲＡＭ＝Ｇ−Ｈ）となり、それぞれメインコントローラ１５に入力される。
【００５９】
又、メインコントローラ１５には、ＡＰＣ用フォトディテクタ１３に入射した半導体レーザダイオードＬＤの反射光が光電変換され、アンプ６１を通して第２のＲＯＭ信号（ＲＯＭ２）として入力する。
【００６０】
さらに、先に説明したように、メインコントローラ１５には、加算アンプ２９の出力である第１のＲＯＭ信号（ＲＯＭ１）、差動アンプ３０の出力であるＲＡＭ信号（ＲＡＭ）、ＦＥＳ生成回路２３からのフォーカスエラー信号（ＦＥＳ）、ＴＥＳ生成回路２４からのトラックエラー信号（ＴＥＳ）が入力する。
【００６１】
また、メインコントローラ１５には、データ源６６との間でインタフェース回路６８を通して記録用データ及び読出データが入出力される。
【００６２】
メインコントローラ１５に入力される第１のＲＯＭ信号（ＲＯＭ１＝Ｇ＋Ｈ）、第２のＲＯＭ信号（ＲＯＭ２＝Ｉ）及び、ＲＡＭ信号（ＲＡＭ＝Ｇ−Ｈ）は、各モード即ち、ＲＯＭ及びＲＡＭ同時再生時、ＲＯＭ再生及びＲＡＭ同時記録（ＷＲＩＴＥ）時に対応して検出し使用される。
【００６３】
図１０は、各モードでの上記ＲＯＭ１（＝Ｇ＋Ｈ）、ＲＯＭ２（＝Ｉ）及び、ＲＡＭ（Ｇ−Ｈ）の検出の組合せを示す図である。メインコントローラ１５は、各モードに応じて、ＬＤドライバ３１にコマンド信号を生成する。ＬＤドライバ３１は、コマンド信号に従い、ＲＯＭ及びＲＡＭ再生時には、第１のＲＯＭ信号（ＲＯＭ１＝Ｇ＋Ｈ）に応じて，半導体レーザダイオードＬＤの発光パワーを負帰還制御し、ＲＡＭ記録時には、第２のＲＯＭ信号（ＲＯＭ２＝Ｉ）に応じて半導体レーザダイオードＬＤの発光パワーを負帰還制御する。
【００６４】
光磁気（ＲＡＭ）記録時は、データソース６６からのデータがインタフェース６８を通してメインコントローラ１５に入力される。メインコントローラ１５は、磁界変調記録方式を用いる場合に、この入力データを、磁気ヘッドドライバ３４に供給する。磁気ヘッドドライバ３４は、磁気ヘッド３５を駆動し、記録データに対応して磁界を変調する。この際、メインコントローラ１５において、記録時を指示する信号がＬＤドライバ３１に送られ、ＬＤドライバ３１は第２のＲＯＭ信号（ＲＯＭ２＝Ｉ）に応じて、記録に最適なレーザーパワーになるように半導体レーザダイオードＬＤの発光を負帰還制御する。
【００６５】
又、光変調記録方式を用いる場合に、この入力データを、ＬＤドライバ３１に送り、レーザダイオードＬＤを光変調駆動する。この際、メインコントローラ１５において、記録時を指示する信号がＬＤドライバ３１に送られ、ＬＤドライバ３１は第２のＲＯＭ信号（ＲＯＭ２＝Ｉ）に応じて、記録に最適なレーザーパワーになるように半導体レーザダイオードＬＤの発光を負帰還制御する。
【００６６】
又、メインコントローラ１５（図８では、サーボコントローラ１５−２）は、検出したフォーカスエラー信号ＦＥＳに応じて、フォーカスアクチュエータ１９を駆動し、光ビームを合焦点制御する。メインコントローラ１５（図８では、サーボコントローラ１５−２）は、検出したトラックエラー信号ＴＥＳに応じて、トラックアクチュエータ６を駆動し、光ビームをシーク及びトラック追従制御する。
【００６７】
ここで、レーザーパワー調整には、デイテクタ４７のＧ＋Ｈ（ＲＯＭ１）またはデイテクタ４３のＩ（ＲＯＭ２）の信号を用いる。図１０に示すように、ＲＯＭ信号とＲＡＭ信号を同時に再生する場合には、ＲＡＭ読出し信号（＝Ｇ−Ｈ）が、前記光情報記録媒体３の位相ピット変調からのクロストークを受けないように、Ｇ＋Ｈの信号が一定となるようにレーザーパワーを制御する。光変調記録時には、ＲＯＭの検出は行わない。
【００６８】
ＲＯＭ−ＲＡＭデイスクとしては、ＲＯＭ、ＲＡＭディスクを貼りあわせ、それぞれ、対向する面側から情報を光学的に検出するもの、あるいは、同じ側から情報を検出する深さ方向の位置をかえて検出するもの、もしくは、２次元的にＲＯＭ領域とＲＡＭ領域を分けるものなどがある。
【００６９】
しかしながら、これら記録媒体では、ＲＯＭとＲＡＭの情報を１つのピックアップ装置で、同時に読み出したり、ＲＯＭ情報を再生しながらＲＡＭ情報に書き込みを行うことが不可能である。本発明のコンテンツ配信に用いる記録媒体としては、図６で示したような、物理的に書き換え不可能な凹凸ピット情報の上に光磁気記録層を含む記録膜を形成した媒体を用いると、図７に示すように、ＲＯＭ信号の上にＲＡＭ信号を重畳記録できるうえ、ＲＯＭとＲＡＭを同時に再生できるという特徴が活かせる。
【００７０】
図８及び図９に示した記録再生装置４は、ＲＯＭおよびＲＡＭの情報を読み出す光ピックアップとＲＡＭに情報を記録するための磁気ヘッドが備えられた構成を持つ。この構成では、ＲＯＭを再生しながらＲＡＭ信号を検出することができる。
【００７１】
又、ＲＯＭ１信号をレーザー駆動部に負帰還させることにより、記録媒体のＲＯＭ部の凹凸によるＲＡＭ信号への強度変調ノイズを低減できるため、ＲＡＭ信号が正確に検出できる。このとき、ＲＯＭ信号は、ＲＯＭ２より検知できる。光ピックアップはボールネジの送り機構によるシーク機構により記録媒体の任意の半径位置へアクセスできる。このため、ＲＯＭに記録されたコンテンツおよびＲＡＭに記録された広告情報へ、任意にアクセスできる。
【００７２】
このような記録再生装置４を利用して、ユーザーは、コンテンツ配信媒体３のＲＯＭ部の音楽ソフトを家庭で聞いたり或いはダビングする。図１１乃至図１３は、ユーザーによるコンテンツ配信媒体３の使用例を説明する図である。
【００７３】
図１１に示すように、記録再生装置４は、テレビ８、音響機器９と接続可能であり、映像情報や音声情報の再生ができる。本発明では、ＲＯＭ情報とＲＡＭ情報の同時再生が可能であり、例えば、テレビ８に、ＲＯＭの映像情報に字幕スーパーで、広告情報を表示することが出来る。また、ユーザーからのアンケート情報等は、マイク等の音声入力機器９２によってＲＡＭ部に記録可能である。また、ＲＡＭ情報は、音響機器９の制御パネル等のために使用されている液晶ディスプレイ９０等に、テキスト情報として広告情報を表示することができる。
【００７４】
図１２は、音楽コンテンツにおけるＲＯＭ部とＲＡＭ部のコンテンツの関係図である。図１２に示すように、ＲＯＭ部の各曲に対応して、ＲＡＭ部に広告１、２、…を記録する。これにより、ユーザーが、ＲＯＭ部の第１曲を再生する時に、広告１が再生され、視聴される。
【００７５】
また、図１３に示すように、音声情報の複製の目的で、ｎ倍速（ｎは１以上の数）出力または、複製機能のある装置においては、ＲＯＭ、ＲＡＭのｎ倍速再生時に、１倍速で広告情報を出力する機構（例えば、広告情報の書き込み時に、ｎ倍速で書き込む）を設けることで、通常複製中の暇なユーザーの時間に、広告情報を視聴させることができる。通常、ダビングにおいては、倍速ダビング等が行われることが多い。
【００７６】
即ち、ダウンロードマシンから広告情報をダウンロードする際に倍速モード等の設定を行えば、倍速で再生しても通常速度の音声で聞くことができる。図１３に示すようにダビング時は、ＲＯＭの音楽ソフトを再生しながら、広告情報を同時に再生し、スピーカー等で聞くことができる。広告情報は、図１２に示すように曲番号毎に割り振ると、ダビング毎に各広告を聞くことができる。
【００７７】
更に、本発明の構成によれば、ダウンロードマシンを悪用して、レンタルしていないＲＯＭ−ＲＡＭ媒体を持ち込んで、ダウンロードマシンよりキャッシュバックを行うようなケースも想定されるが、広告情報がより多くダウンロードされることは、広告の配信システムとしては望ましいことである。また、レンタル店舗としては、直接の被害を受けない。
【００７８】
このように、本発明では、音楽ソフト部分はＲＯＭに記録され、通常のＣＤ音楽ソフトと全く同じシステムで貸し出し返却できること、およびＲＡＭ部に関しては広告によるキャッシュバックが出来るという利点がある。さらに、ＲＡＭ部の情報を誤って消去されても、ＲＯＭの音楽ソフトは保護される。
【００７９】
［他の実施の形態］
ＲＯＭ−ＲＡＭ同時再生するが、予めＲＯＭに広告出力時間を設けて、その間にＲＡＭ情報に記録された広告を出力することもできる。例えば、コンテンツの出力開始前に、又は出力開始後に、広告を出力することもでき、コンテンツの再生途中で、広告を出力することもできる。広告に使用されていない領域は、デイスクの管理情報やユーザーのアンケート情報を記録する領域として使用することも可能である。
【００８０】
ＲＯＭ情報は、図１４に示すようにＥＦＭ等のデジタル信号として記録されるのが一般的である。一方ＲＡＭ情報はＥＦＭ信号、ＮＲＺＩ信号、ＲＬＬ１−７信号として記録することが可能である。しかしながら、単純な音声情報等の記録のためには、ＦＭ変調（周波数変調）方式による記録が有効である。
【００８１】
以上、本発明を実施の形態により説明したが、本発明の趣旨の範囲内において、種々の変形が可能であり、これらを本発明の技術的範囲から排除するものではない。
【００８２】
（付記１）コンテンツがＲＯＭ部に記録された記録媒体を、ユーザーに配信する際に、前記記録媒体のＲＡＭ部に、書き込み装置で、広告情報を書き込むステップと、前記記録媒体のコンテンツを再生する際に、前記記録媒体のＲＯＭ部とＲＡＭ部の同時再生を１つのピックアップで行う再生装置で、前記記録媒体のコンテンツの再生と広告情報の再生を同時に行うステップとを有することを特徴とするコンテンツ配信方法。
【００８３】
（付記２）前記記録媒体が、光学的に透明な基板に凹凸等の物理的変化によりコンテンツを記録したＲＯＭ部と、前記ＲＯＭ部上に書き換え可能な記録層で形成したＲＡＭ部とからなることを特徴とする付記１のコンテンツ配信方法。
【００８４】
（付記３）前記記録媒体のＲＡＭ部は光磁気記録媒体で構成され、前記再生装置が、前記光磁気記録媒体のＲＯＭ部とＲＡＭ部とを光で再生する光磁気媒体ドライブで構成されたことを特徴とする付記１のコンテンツ配信方法。
【００８５】
（付記４）前記書き込み装置で、前記広告情報を書き込んだことに応じて、前記ユーザーにキャッシュバックするステップを更に有することを特徴とする付記１のコンテンツ配信方法。
【００８６】
（付記５）前記書き込みステップは、前記ＲＯＭ部のコンテンツである時間の経過に従って出力されるストリーミング情報に同期して、前記広告情報が再生されるように、前記広告情報を前記ＲＡＭ部に書き込むステップからなることを特徴とする付記１のコンテンツ配信方法。
【００８７】
（付記６）前記ＲＯＭ部がＥＦＭ変調されたコンテンツを格納し、前記ＲＡＭ部の情報が、周波数変調記録されることを特徴とする付記１のコンテンツ配信方法。
【００８８】
（付記７）前記ＲＯＭ情報として音声情報または画像情報を含むコンテンツを記録し、且つ前記ＲＡＭ情報として音声広告又は画像広告を記録し、前記再生装置に接続した音声又は画像出力装置で、前記ＲＯＭ部とＲＡＭ部の情報を同時に出力することを特徴とする付記１のコンテンツ配信方法。
【００８９】
（付記８）前記再生ステップは、前記ＲＯＭ情報をｎ倍速（ｎは１より大きな数）出力し、前記ｎ倍速出力時に、前記ＲＡＭ情報を1倍速で出力するステップからなることを特徴とする付記１のコンテンツ配信方法。
【００９０】
（付記９）前記書き込みステップは、前記ユーザーに前記コンテンツを期間限定で貸し出し際に、前記ＲＡＭ情報の更新を行うステップからなることを特徴とする付記１のコンテンツ配信方法。
【００９１】
（付記１０）前記記録媒体の記録再生装置を利用して、前記ユーザーによって、前記ＲＡＭ部への情報の記録を行い、前記記録媒体を返却するステップを更に有することを特徴とする付記９のコンテンツ配信方法。
【００９２】
（付記１１）コンテンツがＲＯＭ部に記録された記録媒体を、ユーザーに配信する際に、前記記録媒体のＲＡＭ部に、広告情報を書き込む書き込み装置と、前記記録媒体のコンテンツを再生する際に、前記記録媒体のＲＯＭ部のコンテンツとＲＡＭ部の広告情報を１つのピックアップで行う再生装置とを有し、前記記録媒体のコンテンツの再生と広告情報の再生を同時に行うことを特徴とするコンテンツ配信システム。
【００９３】
（付記１２）前記記録媒体が、光学的に透明な基板に凹凸等の物理的変化によりコンテンツを記録したＲＯＭ部と、前記ＲＯＭ部上に書き換え可能な記録層で形成したＲＡＭ部とからなることを特徴とする付記１１のコンテンツ配信システム。
【００９４】
（付記１３）前記記録媒体のＲＡＭ部は光磁気記録媒体で構成され、前記再生装置が、前記光磁気記録媒体のＲＯＭ部とＲＡＭ部とを光で再生する光磁気媒体ドライブで構成されたことを特徴とする付記１１のコンテンツ配信システム。
【００９５】
（付記１４）前記書き込み装置で、前記広告情報を書き込んだことに応じて、前記ユーザーにキャッシュバックする機構を更に有することを特徴とする付記１１のコンテンツ配信システム。
【００９６】
（付記１５）前記書き込み装置は、前記ＲＯＭ部のコンテンツである時間の経過に従って出力されるストリーミング情報に同期して、前記広告情報が再生されるように、前記広告情報を前記ＲＡＭ部に書き込むことを特徴とする付記１１のコンテンツ配信システム。
【００９７】
（付記１６）前記ＲＯＭ部がＥＦＭ変調されたコンテンツを格納し、前記ＲＡＭ部の情報が、周波数変調記録されることを特徴とする付記１１のコンテンツ配信システム。
【００９８】
（付記１７）前記ＲＯＭ情報として音声情報または画像情報を含むコンテンツを記録し、且つ前記ＲＡＭ情報として音声広告又は画像広告を記録し、前記再生装置に接続した音声又は画像出力装置で、前記ＲＯＭ部とＲＡＭ部の情報を同時に出力することを特徴とする付記１１のコンテンツ配信システム。
【００９９】
（付記１８）前記再生装置は、前記ＲＯＭ情報をｎ倍速（ｎは１より大きな数）出力し、前記ｎ倍速出力時に、前記ＲＡＭ情報を1倍速で出力することを特徴とする付記１１のコンテンツ配信システム。
【０１００】
（付記１９）前記書き込み装置は、前記ユーザーに前記コンテンツを期間限定で貸し出し際に、前記ＲＡＭ情報の更新を行うことを特徴とする付記１１のコンテンツ配信システム。
【０１０１】
（付記２０）前記記録媒体の記録再生装置は、前記ＲＡＭ部への情報の記録を行う機能を有し、前記再生装置で記録された前記記録媒体を前記貸し出し元に返却することを特徴とする付記１９のコンテンツ配信システム。
【産業上の利用可能性】
【０１０２】
コンテンツ情報を物理的に安定なＲＯＭ情報に、広告情報をＲＡＭ記録した記録媒体を用いるため、広告期間の経過していない広告付きコンテンツ配信を可能とする。また、ＲＯＭ−ＲＡＭ同時再生可能な媒体と、この媒体のドライブを使用するため、コンテンツの再生により、広告も再生されるので、ユーザーは、広告を意識することなく、広告の視聴が可能となる。
【０１０３】
又、コンテンツは、スタンパにより、物理的にピット記録されているので、コンテンツのデータに何ら影響なく、広告情報の書き換えが可能である。又、ＲＯＭ部がＥＦＭ変調されたコンテンツを格納し、前記ＲＡＭ部の情報が、周波数変調記録されることにより、１つの光ピックアップで、ＲＯＭ，ＲＡＭ情報の分離が容易となる。
【図面の簡単な説明】
【０１０４】
【図１】本発明の一実施の形態の構成図である。
【図２】図１の構成のコンテンツ配信手順の説明図である。
【図３】図１の広告ダウンロードマシンの構成図である。
【図４】図３の広告ダウンロードマシンの動作説明図である。
【図５】図１のコンテンツ配信処理の説明図である。
【図６】図１のコンテンツ配信媒体の構成図である。
【図７】図６のコンテンツ配信媒体のＲＯＭ，ＲＡＭの信号の関係図である。
【図８】本発明の一実施の形態の再生装置の構成図である。
【図９】図８の再生装置のブロック図である。
【図１０】図８の再生装置のＲＯＭ，ＲＡＭの検出信号の関係図である。
【図１１】本発明の一実施の形態の広告付きコンテンツ再生動作の説明図である。
【図１２】本発明の一実施の形態のＲＯＭのコンテンツとＲＡＭの広告の関係図である。
【図１３】本発明の他の実施の形態の広告付きコンテンツ再生動作の説明図である。
【図１４】本発明の一実施の形態のＲＯＭ，ＲＡＭの変調信号の説明図である。
【符号の説明】
【０１０５】
１  レンタル店舗
２  コンテンツ配信サーバー
３  コンテンツ配信媒体
４  再生ドライブ
５  光ピックアップ
７  光学ヘッド
８  映像機器
９  音響機器
１４  広告ダウンロードマシン
１５  メインコントローラ
【図１】
2008071482.tif 000003
【図２】
2008071482.tif 000004
【図３】
2008071482.tif 000005
【図４】
2008071482.tif 000006
【図５】
2008071482.tif 000007
【図６】
2008071482.tif 000008
【図７】
2008071482.tif 000009
【図８】
2008071482.tif 000010
【図９】
2008071482.tif 000011
【図１０】
2008071482.tif 000012
【図１１】
2008071482.tif 000013
【図１２】
2008071482.tif 000014
【図１３】
2008071482.tif 000015
【図１４】
2008071482.tif 000016